(57)【要約】【課題】  自動車用照明装置または信号装置におけるくさび形ベースランプをより広く使用できるようにする。【解決手段】  本発明に係わるくさび形ベースランプ用ソケットは、ベース（１）と、ベース内に取り付けられ、ランプ（５）の電極を電源回路に電気的に接続するための少なくとも２つの電気接触ブレード（２０）とを備えている。電気接触ブレードは、ランプのガラスキャップが挿入されるクランプを形成する弾性部分を有する。第１の特徴によれば、ベースには、ランプの電球の底部に接触し、ランプをベース内に所定の態様でセンタリングすると共に、ベースに対するランプの移動を防止するための少なくとも１つの部品が設けられている。好ましい実施例では、電球の底部に接触するソケットの部分は、ベースとランプの電球との間に中間的に取り付けられたセンタリング部品に含まれている。別の特徴によれば、接点ブレードは、スプリング用スチールから製造される。本発明の用途は、自動車用の照明または信号装置、特に信号ライトである。【選択図】  図１
2006080075.tif 000002
【特許請求の範囲】
【請求項１】
ベース（１）と、ランプ（５）の電極を電源回路に電気的に接続するようにして、前記ベース（１）内に取り付けられた少なくとも２つの電気接点ブレード（２０）（２１）とを備え、前記電気接点ブレード（２０）（２１）の各々は、クランプ（２０１）（２１１）を形成する弾性部品を備え、かつ前記クランプ内に、前記ランプ（５）の前記ガラスキャップが挿入された、くさび形ベースランプのためのソケットにおいて、
前記ベース（１）は、リング状をなすセンタリング部品（３）を備え、前記リングの第１面において、前記ベース（１）に、前記センタリング部品（３）を固定状態に位置決めできる少なくとも１つの脚部（３０）（３１）として延び、かつ前記リングが第２面にセンタリング要素（３２）を有し、このセンタリング要素は、前記ランプ（５）の電球の底部（５０）に接触し、よって、ランプ（５）を前記ベース（１）内に所定の態様でセンタリングすると共に、前記ベース（１）に対する前記ランプ（５）の移動を阻止するようになっていることを特徴とする、くさび形ベースランプ用ソケット。
【請求項２】
前記接点ブレード（２０）（２１）は、スプリング用スチールまたはスプリング用ステンレススチールリーフから製造されていることを特徴とする、請求項１記載のソケット。
【請求項３】
クランプ（２０１）（２１１）を形成する前記弾性部品は、前記ランプ（５）のタイプに適したクランプ力を前記キャップに加えるようになっていることを特徴とする、請求項１または２記載のソケット。
【請求項４】
前記センタリング部品（３）と前記ベース（１）とは、異なる材料から製造されており、かつ前記センタリング部品（３）の材料は、前記底部（５０）に直接熱接触するのに適するように選択されていることを特徴とする、請求項１〜３のいずれかに記載のソケット。
【請求項５】
前記センタリング部品（３）は、ポリカーボネート（ＰＣ）から製造され、かつ前記ベース（１）は、ポリプロピレン（ＰＰ）から製造されていることを特徴とする、請求項４記載のソケット。
【請求項６】
前記センタリング部品（３）は、２つの軸対称の脚部（３０）（３１）を備え、これら脚部は、第１面から延び、前記ベース（１）にスナップ嵌合できると共に、前記底部ブラケット（５０）に接触する前記部品を形成する少なくとも４つのセンタリング要素（３２）に、第２面においてスナップ嵌合していることを特徴とする、請求項１〜５のいずれかに記載のソケット。
【請求項７】
前記センタリング要素（３２）のうちの少なくとも１つは、くさび形状となっており、このくさびの傾斜面は、前記ベース（５０）の斜め部分、または傾斜部分（５２）に接触していることを特徴とする、請求項６記載のソケット。
【請求項８】
前記接点ブレード（２０）（２１）のクランプ（２０１）（２１１）を形成する前記弾性部品は、互いに対向する２つの弾性接点ラグを備え、これら接点ラグの間にグリップ領域が形成され、かつ前記接点ラグは、実質的にカーブ状のプロフィルを有すると共に、互いに分離され、前記電球の方を向く自由端を有することを特徴とする、請求項１〜７のいずれかに記載のソケット。
【請求項９】
数個のソケットを有する照明装置または信号装置のためのランプホルダー内に組み込まれていることを特徴とする、請求項１〜８のいずれかに記載のソケット。
【請求項１０】
請求項１〜９のいずれかに記載の少なくとも１つのソケットを備えることを特徴とする、自動車用の照明または信号装置。
【発明の詳細な説明】
【技術分野】
【０００１】
本発明は、一般的には、くさび形ベースフィラメントランプのためのソケットの技術分野に関し、より詳細には、自動車用照明装置または信号装置、特に信号ライトで使用するのに適する、くさび形ベースランプのためのソケットに関する。
【０００２】
簡潔にするために、以下、信号ランプに応用した場合だけについて説明する。
【０００３】
ガラスベースを備えるランプ（くさび形ベースランプとも称される）は、自動車用信号ライトに組み込む上で、ある種の利点を有する。その理由は、このランプは、従来信号ライトに使用されているバヨネットランプと比較して、嵩が小さくてすむという利点を有するからである。嵩が小さいというこの特徴により、よりコンパクトな信号ライトの製造は容易となり、かつ光学素子、例えばこれらライトにおけるレフレクタ、または他の素子の表面を、より好適にすることができる。
【０００４】
従って、Ｗ１６Ｗタイプのくさび形ベースランプは、ある種の信号ライトにおけるＰ２１Ｗタイプのバヨネットライトと容易に交換できる。
【発明の開示】
【発明が解決しようとする課題】
【０００５】
しかし、くさび形ベースランプを使用することは、メーカーにとって、電球内のフィラメントを位置決めするための厳しい公差を維持することが困難であるため、制限されている。例えばＷ１６Ｗタイプのランプの場合、フィラメントとランプ係止溝との間の距離の公差は、約±２.３ｍｍである。
【０００６】
しかし、ヘッドライトのような信号ライトでは、ランプのフィラメントは、必要な光学的性能を得るために、ライトまたはヘッドライトに含まれる光学素子に対して、明確に定められた位置を占めなければならない。そのため、ランプとそのソケットとを機械的に接続するための寸法上の公差が、極めて厳しいものとなる。
【０００７】
くさび形ベースランプのために現在利用できるソケットは、自動車用信号ライトで使用するのに、極めて適しているとは言えない。その理由は、信号ライトが、通常受ける種々の機械的応力に対し、ソケットが良好に応答しないからである。
【０００８】
発明者たちが実行したテストによれば、従来のソケットは、機械的振動が加わったときに、光学素子に対するフィラメントの十分信頼性のある位置決めを保証できないことがわかった。
【０００９】
現在利用できるくさび形ベースランプのためのソケットのうち、欧州特許第EP0404135B1号により、絶縁基板８上に取り付けるようになっているソケットが知られている。
【００１０】
本願の図６は、欧州特許第EP0404135B1号に記載のソケットの断面図を示している。
【００１１】
この欧州特許第EP0404135B1号に記載のソケットは、フック６ａおよび６ｂの形状をした電気接点ブレードと、ソケット内において、ソケットのベースを保持するようになっているシース７とを備えている。
【００１２】
基板８には、ストリップ６ａおよび６ｂが固定されており、これらのストリップは、その間に、ランプのベース５ａをグリップし、かつ電極との電気接触を保証するようになっている。これらのストリップ６ａおよび６ｂは、フック状となっており、従来通り、真ちゅうまたはリン銅から製造されている。
【００１３】
シート７は、電気絶縁材料から製造されており、クリップ留めにより、基板に固定されている。シート７には、２つのフック７ａが設けられており、これらフック７ａは、ベース５ａに設けた溝に挿入されている。これらのフックの機能は、ランプを所定位置に保持することである。
【００１４】
ベース５ａ上でのストリップ６ａおよび６ｂと、フック７ａとの協動により、ソケット内にランプは係止される。しかし、この作用は、信号ライト適用されるすべての要件を満たすのには十分ではなく、特に、信号ライトが信号を受けているときの応答性の点で、十分な要件を満たすことはできない。
【００１５】
従って、本発明の目的は、自動車用照明装置または信号装置におけるくさび形ベースランプを、より広く使用するのに必要な改良を、従来技術に対して加えることにある。
【００１６】
本発明は、まず第１にベースと、ランプの電極を電源回路に電気的に接続するよう、前記ベース内に取り付けられた少なくとも２つの電気接点ブレードとを備え、前記電気接点ブレードの各々は、クランプを形成する弾性部品を備え、前記クランプ内に、前記ランプの前記ガラスキャップが挿入された、くさび形ベースランプのためのソケットを提供するものである。
【００１７】
本発明においては、前記ベースは、リング状に製造されたセンタリング部品を備え、前記リングの第１面において、前記ベースに、前記センタリング部品を固定状態に位置決めできる少なくとも１つの脚部として延び、かつ前記リングは、第２面にセンタリング要素を有し、このセンタリング要素は、前記ランプの電球の底部に接触し、もって、ランプを前記ベース内に所定の態様でセンタリングすると共に、前記ベースに対する前記ランプの移動を防止するようになっている。
【００１８】
「底部」なる用語は、ランプキャップに隣接する電球部分を示すものである。この電球部分は、少なくとも部分的に傾斜した形状、すなわち、くさび形ベースランプを備える傾斜面を有する形状を有する。
【００１９】
従って、本発明は、完全に自動車用信号装置で使用されるようになっているソケットを提供するものである。
【００２０】
別の好ましい特徴によれば、前記接続ストリップは、スプリング用スチールから製造され、好ましい実施例によれば、接続ストリップは、スプリング用ステンレスストリップスチールから製造されている。
【００２１】
電気接続クリップのクランプを形成する弾性部品は、ランプのタイプ、例えばＷ１６ＷまたはＷ５Ｗに適するグリップ力を、キャッチに加えるように設計されている。
【００２２】
２つの別個の部品を分離してあるので、センタリング部品とベースとを、異なる材料で容易に製造できる。センタリング部品の材料は、電球の底部と直接熱接触するのに適するように選択されている。
【００２３】
このように、２つの別個の部品に分離してあるため、本発明に係わるソケットを、種々のタイプのランプ、例えばＷ１６ＷまたはＷ５Ｗに適合させたいときに、標準ベースをそのままとし、センタリング部品だけを変更すればよいという利点が得られる。
【００２４】
センタリング部品は、ポリカーボネートから製造され、ベースは、ポリプロピレンから製造することが好ましい。ベースに対して、ポリプロピレンのような低コスト材料を使用することにより、ソケットを製造するためのコストを、良好に妥協をすることができる。
【００２５】
好ましい実施例によれば、前記センタリング部品は、２つの軸対称の脚部を備え、この脚部は、第１面から延び、前記ベースにスナップ嵌合できると共に、前記底部ブラケットに接触する前記部品を形成する少なくとも４つのセンタリング要素に、第２面においてスナップ嵌合する。
【００２６】
前記センタリング要素のうちの少なくとも１つは、くさび状となっており、このくさびの傾斜面は、前記ベースの斜め部分または傾斜部分（５２）に接触する。
【００２７】
更に別の特徴によれば、前記接点ブレードのクランプを形成する弾性部品は、互いに対向する２つの弾性接点ラグを備え、この接点ラグは、これらラグの間にグリップ領域を形成し、前記接点ラグは、実質的にカーブ状のプロフィルを有すると共に、互いに分離され、前記電球に向いた自由端を有している。
【００２８】
別の好ましい実施例によれば、本発明のソケットは、数個のソケットを有する照明装置、または信号装置のためのランプホルダー内に組み込まれている。
【００２９】
従って、本発明は、上に簡単に述べたように、少なくとも１つのソケットを有する、特に自動車用照明装置または信号装置にも関する。
【００３０】
次に、添附図面を参照して、特定の実施例の説明を読めば、本発明の上記以外の特徴および利点が、より明らかとなると思う。なお、この説明は、発明を限定しない例として示されたものである。添付図面を参照する。
【発明を実施するための最良の形態】
【００３１】
以下、自動車用信号ライトのユニットに取り付けるようになっているランプホルダー内に、本発明に係わるソケットが内蔵された、好ましい実施例に基づき、本発明について詳細に説明する。
【００３２】
信号ライトのためのランプホルダーは、従来、機械的組み立て、および電気接続手段を備える成形されたプラスチックから形成されていた。自動車の電源回路に接続され、信号ユニット内の種々のライトの光源を形成するように、ランプホルダー内の対応するソケットにランプを挿入する。ランプの挿入後、信号ユニット上でランプホルダーを組み立て、信号ユニット内の後部開口部を閉じる。
【００３３】
図１および図２に示すように、本発明に係わるソケットは、基本的には、ベース１と、電気接続ストリップ２０および２１と、センタリングリング３とを備えている。
【００３４】
図１に示すように、ソケットには、例えばＷ１６Ｗタイプのくさび形ベースランプ５が挿入される。
【００３５】
この好ましい実施例では、ランプホルダーの本体４に沿って、ベース１が成形されている。従って、ベース１は、本体と共に１つの部品を形成している。図１では、本体４の一部にしか示されていない。
【００３６】
ベース１と本体３とは、同じ低コストの材料、例えばポリプロピレンから製造されている。ベース１は、ほぼ中空本体の形状とすることが好ましい。
【００３７】
図１および図２に示すように、ランプホルダーからカットされた電気回路の一部を形成する導電性ストリップ４０および４１は、接点ブレード２０および２１を車両の電源回路に接続するようになっている。
【００３８】
導電性ストリップ４０および４１は、折りたたみ端部を備えている（図２にはストリップ４０の折りたたみ端部４００が示されている）。この折りたたみ重ね端部は、接点ブレード２０の雌型接続部品２００、および接点ブレード２１の雌型接続部品２１０とそれぞれ係合している。
【００３９】
図３には、接点ブレード２０および２１が示されている。これらのブレードは、ベース１内に一旦取り付けられた時の位置と同じ位置にある。
【００４０】
接点ブレード２０および２１は、この実施例では、実質的に同一の形状および寸法を有している。当然ながら、別の実施例として、これらの接点ブレードは、異なっていてもよい。
【００４１】
図３に示すように、各接点ブレード２０、２１は、ランプ５のガラスキャップが挿入されるクランプ２０１、２１１を形成する弾性部品を備えている。
【００４２】
ベース１内の頂部開放キャビティ１０（図２）内に、クランプ２０１、２１１を形成する部品が収容されている。キャビティ１０内に、クランプ２０１および２１１を形成するための部品を収容できるようにするために、ベース１内には、４つのノッチ１１が設けられている。
【００４３】
クランプ２０１、２１１を形成する部品は、互いに対向する２つの弾性接点ラグを備え、これら接点ラグの間に、グリップ領域が形成されている。これら接点ラグは、カーブしたプロフィルを有する。これら接点ラグの間のグリップ領域は、ラグのほぼ凸状の表面となっている。
【００４４】
電気接点ブレードのラグの間に、ラグ５のキャップを挿入すると、ラグとランプ５の配線電極とは、電気的に接続される。
【００４５】
対向する接点ラグは、それらの底部部分において接続されている。これらラグは、底部において共通部分２０２、２１２を形成し、この共通部分は、雄型接続部分２００まで延びている。
【００４６】
頂部部品において、接点ラグは、ランプ５の電球に向かう３つの端部を有する。これら３つの端部は、接点ラグのカーブしたプロフィルの効果により互いに分離している。従って、接点ラグの間に、ランプ５のキャップを挿入することが容易となっている。
【００４７】
本発明によれば、接点ブレード２０、２１は、バネ用スチールから製造することが好ましい。より正確に説明すれば、好ましい実施例では、接点ブレードは、スプリング用のステンレススチールのストリップから製造されている。
【００４８】
本発明者たちが行ったテストによれば、このようなスプリング用スチールは、通常ソケット内の電気接点として使用される真ちゅう、またはその他の材料とは異なり、ソケット内のランプ５の正しい係止を保証できるグリップ力を得ることができる。クランプ２０１、２１１を形成する弾性部品は、ランプのタイプ、例えばＷ１６ＷまたはＷ５Ｗに適合したグリップ力をキャップに加えるようにすることが好ましい。
【００４９】
ここで、「正しい係止」なる用語は、自動車用の照明または信号に関連して解釈されるべきものであることに留意するべきである。従って、ソケット内のランプ５の係止とは、ランプとソケットの組立体に所定の機械力、例えば振動または衝撃力が加えられても、ソケットに対するランプの最大の移動の制限条件が満たされれば、正しいと見なされる。その理由は、信号ランプの光学素子と共にランプを組み立て、ランプが機械的な応力を受けたときに、これら光学素子の焦点に対する明瞭に定められた限度内に、フィラメントの移動を維持し、従って、ライトの光学的性能を妨害しないようにしなければならないからである。
【００５０】
次に、特に図４および図５を参照し、センタリングリング３について説明する。
【００５１】
センタリングリング３は、全体として、中空円筒形回転体の形状をしている。この円筒体の底部は、２つの軸方向に対称的な脚部３０および３１として延びている。センタリングリング３は、その頂部部分において、４つのセンタリング要素３２を備え、これらセンタリング要素の各々は、好ましい実施例では、くさび状となっている。
【００５２】
本発明によれば、センタリングリング３は、ランプ５によって生じる熱応力に耐えることができる材料から製造されており、特にランプ５の電球と直接接触している。例えばセンタリングリング３は、ポリカーボネート（ＰＣ）から製造できる。
【００５３】
脚部３０および３１の機能は、スナップ作用により、ベース１にセンタリングリング３をロックすることである。これらの脚部３０および３１の底部の自由端部には、突出するラグ３１０および３１１が設けられている。
【００５４】
ベース１にリング３を取り付けると、脚部３０および３１の底部端部を、それぞれ、図２に示された２つの相補的なスナップインノッチ１２に挿入できる。次に、リング３の底部環状面３３は、ベース１の頂面１３に接触するので、軸線Ｘに沿った位置決めを保証できる。ラグ３１０および３１１は、スナップインノッチ１２内の内側リムにフック係合し、リング３をベース１にロックする。
【００５５】
２つの垂直軸線ＹおよびＺに沿うベース１内でのリング３の位置決めは、ベース１のストッパー１４を形成する４つの要素によって得られる。
【００５６】
図２には、ストッパー１４が示されている。対称軸線に垂直であって、かつこの軸線を中心とする円の上において、ベース１のＸに沿う対称軸線を中心として、４つのストッパー１４が位置している。これらストッパー１４は、互いに４５度の角度離間している。各ストッパー１４は、ベース１の対称軸線の方を向く面１４０を備え、この面１４０は、リング３の輪郭壁３４に位置決め接触するようになっている。
【００５７】
図２には、面１４１およびリム１４２も示されている。これらは、光学素子、例えばライトのレフレクタ内にソケットを位置決めするよう、ストッパー１４の各々にも設けられている。
【００５８】
当業者であれば、本発明に係わるソケットを、種々の用途に適合するようにストッパー１４を変形することができるので、当然ながら、ストッパー１４の上記説明は、限定的に解釈されるべきではない。従って、例えば所定の変形例では、ベース１内の接点ブレード２０および２１を取り付けるためのノッチが設けられたカラーに、ストッパー１４を置き換えることも可能である。
【００５９】
再度、図４および図５を参照すると、リング３上のくさび３２は、電球の底部５０において、ランプ５の電球に接触するようになっている傾斜面を有している。
【００６０】
電球の底部とは、ランプキャップに隣接する電球の下方部分のことである。図５に示すように、Ｗ１６Ｗランプに適合するようになっているこの実施例では、電球の円筒形回転体部分５１とランプ５のキャップとの間に、底部６０が位置している。
【００６１】
Ｗ１６Ｗランプ用のこの実施例では、底部５０の斜め部分５２において、くさび３２と底部５０とが接触することが好ましい。
【００６２】
Ｗ５Ｗランプ用の実施例の場合、Ｗ５Ｗランプの電球の底部は、くさび３２と接触するようになっている、ほぼ平坦で、かつ軸方向に対称的な２つの傾斜面を有している。
【００６３】
当業者であれば、本発明に係わるソケットを種々の可能な用途に適合するように、これら要素３２の数および形状を変更することができるので、センタリング要素３２の上記説明を、限定的に解釈するべきではない。
【００６４】
従って、例えば他の実施例として、ベース５０の全周にわたって連続的に接触するカラーに、センタリング要素３２を置換することができる。
【００６５】
しかし、いくつかの別々のセンタリング要素を備える、上に説明した好ましい実施例は、アイソレートされたポイントに留まる電球と熱接触するという利点が得られるという点に留意するべきである。この場合、センタリングリングの温度は、より広い接触表面で到達する温度よりも低い温度となるので、時間に対する材料の抵抗力を改善できる。
【図面の簡単な説明】
【００６６】
【図１】本発明に係わるソケットと、このソケットによって支持されたランプの全体の斜視図である。
【図２】図１のソケットにおけるベースの斜視図である。
【図３】図１のソケットにおける２つの電気接点ブレードの斜視図である。
【図４】図１のソケットにおけるセンタリングリングの斜視図である。
【図５】リングに対するランプの位置決めも示す、図４のリングの軸方向断面図である。
【図６】従来のソケットの断面図である。
【符号の説明】
【００６７】
１    ベース
３    リング
４    ランプホルダー本体
５    くさび形ベースランプ
１０    キャビティ
１１    ノッチ
２０、２１    電気接続ストリップ
３２    くさび
４０、４１    導電性ストリップ
５０、６０    底部
５１    円筒形回転体部分
５２    斜め部品
２０１、２１１    クランプ  
【図１】
2006080075.tif 000003
【図２】
2006080075.tif 000004
【図３】
2006080075.tif 000005
【図４】
2006080075.tif 000006
【図５】
2006080075.tif 000007
【図６】
2006080075.tif 000008